(57)【特許請求の範囲】
【請求項１】
最終的に製造される撚り線リングの周長Ｌの約２倍の長さをもち，心線の周りに複数本のストランドが撚り合わされた原ワイヤロープを用意し，
該原ワイヤロープの中央から両端方向に該周長の半分Ｌ／２の長さの位置においてそれぞれ，心線を切断して突き合わせ端面を形成するとともに半数本のストランドを切断しかつ残りの非切断ストランド部分を解撚し，
該原ワイヤロープをリング状に曲げて，少なくとも心線の両端に形成された突き合わせ端面を互いに突き合わせ，
この状態において原ワイヤロープの一端側の該非切断ストランド部分を，原ワイヤロープの他端側の対応する位置にある切断ストランドの一部を解撚しながら該解撚したストランドに代えて撚り込んで入れ替え，入れ替えられたストランド部分については，入れ替えられた長さに相当する分，切除し，
原ワイヤロープの一端側の非切断ストランド部分が複数ある場合には，それらの長さを，複数の非切断ストランド部分の端末がリング周上の他端側の半周分の範囲の全体にわたって分散するように異ならせて上記の入れ替えを繰返し，
さらに原ワイヤロープの他端側の非切断ストランドについても上記と同じ操作を繰返す，
端末接続箇所がリング全周にわたって分散した撚り線リングの製造方法。
【請求項２】
上記ストランド部分の入れ替えは，原ワイヤロープの撚りピッチの２ピッチ分以上の長さにわたって行う，請求項１に記載の製造方法。
【請求項３】
撚り込むストランド部分の端部と入れ替えられるストランド部分の端部とを重複させて残し，かつ重複させて残した端部の位置において重複する長さ分の心線を切除し，重複して残した端部を交叉させて心線を切断して形成した空間内に入れ込む，請求項１または２に記載の製造方法。
【請求項４】
上記心線および上記ストランドのそれぞれは，フィラメントを複数本撚り合わせて形成する第１ストランドを複数本撚り合わせて形成する第２ストランドである，請求項１から３のいずれか一項に記載の製造方法。
【請求項５】
上記第１ストランドは樹脂被覆したスチールフィラメントを複数本撚り合わせて形成するものである，請求項４に記載の製造方法。
【請求項６】
上記第１ストランドはスチールフィラメントを複数本撚り合わせた後に樹脂被覆して形成するものである，請求項４に記載の製造方法。
【請求項７】
請求項１から６のいずれか一項に記載の製造方法により製造された撚り線リング。
【請求項８】
心線とその周りに撚り合わされた複数本のストランドとからなり，環状に形成されたものであり，
心線は両端を有し，それらが突き合わされており，
各ストランドもそれぞれ両端を有し，
心線の突き合わされた箇所を中心としてその両側にある半数ずつのストランドの端部がそれぞれ他方側に延び，かつ他方側の対応するストランド端部と入れ替えて撚り込まれており，
この入れ替えて撚り込まれているストランド部分の長さが，該中心の両側のそれぞれにおいて他方側に延びる複数のストランド部分の端末がリング周上の他方側の半周分の範囲の全体にわたって分散するようにストランドごとに異なっている，
端末接続箇所がリング全周にわたって分散した撚り線リング。
【請求項９】
ストランドの入れ替えは２撚りピッチ以上であり，ストランドごとに異なる入れ替えの長さの差も２撚りピッチ以上である，請求項８に記載の撚り線リング。
【請求項１０】
上記心線および上記ストランドのそれぞれは，フィラメントを複数本撚り合わせて形成した第１ストランドを複数本撚り合わせて形成した第２ストランドである，請求項８または９に記載の撚り線リング。
【請求項１１】
上記第１ストランドは樹脂被覆したスチールフィラメントを複数本撚り合わせて形成したものである，請求項10に記載の撚り線リング。
【請求項１２】
上記第１ストランドはスチールフィラメントを複数本撚り合わせた後に樹脂被覆して形成したものである，請求項10に記載の撚り線リング。
【発明の詳細な説明】
【技術分野】
【０００１】
この発明は，ワイヤロープで無端状に形成された撚り線リングおよびその製造方法に関する。
【背景技術】
【０００２】
ワイヤロープ（スチールコード）で形成された撚り線リングの製造方法は種々提案されている。
【先行技術文献】
【特許文献】
【０００３】
【特許文献１】特開２００８−２９１４１０
【特許文献２】特開２０１０−２４８６７７
【発明の概要】
【０００４】
特許文献１では，環状金属コードは，金属素線を６本撚り合わせてなるストランド材を所定の環状径に巻いて始端部を仮止めして環状コア部を形成した状態で，環状コア部から連続したストランド材を環状コア部に対して螺旋状に６周巻き付けることにより，環状コア部の外周面を覆う外層部を形成し，その後，ストランド材の始端部と終端部とを接続部材を用いて結合させるものである。
【０００５】
この製造方法では環状コアを形成した後に引続き外層部を形成していくが，外層部を巻き付ける際のリング変形を抑制するためには，あまり強い巻き付けテンションを掛けられないため，リング形成中の巻き緩みが生じ易く，均一な状態に形成できないという問題がある。
【０００６】
仮に適正なテンションをかけてリングを形成できたとしても，始端部と終端部を結合する際，提案されている接続部材，溶接または端末同士の撚り合わせによる結合のいずれの方法をとるにしても，リング本体から接続部をある程度離して結合作業を実施しなければならない。また，この方法は接続後の長さ調節ができない方法であるため，接続後に撚り緩みが生じてしまうという問題がある。
【０００７】
特許文献２では，環状金属コードは，複数のストランド材同士を撚り合わせた原金属コードが解撚されて合計断面積の異なる２つの線材群に分けられ，合計断面積の大きい方のストランド材の群を再使用線材群とし，合計断面積の小さい方のストランド材の群を不使用線材群として，再使用線材群の内の１本のストランド材が，複数周回環状にされつつその環状部分における再使用線材の内の他のストランド材及び不使用線材群の抜けた螺旋状の空隙部に余長部が嵌め入れられて巻き付けられるものである。
【０００８】
この製造方法では，リングの形成が完了した形状においては線材同士の接触抵抗が大きく，線材同士が強く拘束される構造となる。しかしながら，リング形成の途中では螺旋状の空隙部が残っているため，形状が不安定となる。したがって，巻き付けを行う際のリング変形を抑制するためには，あまり強いテンションを掛けられないため，リング形成中の巻き緩みが生じ易く，均一な状態に形成できないという問題がある。
【０００９】
また，接続のために端末を差し込んだ部分以外にはコアが存在しない空間があるため，例えば駆動プーリと被駆動プーリに掛けた伝動ベルトとして使用した場合，駆動プーリから被駆動プーリへ移る際に生じる引張負荷の少ない状態または圧縮負荷の掛かる状態においては，線材同士の接触抵抗が小さくなり，線材同士が比較的自由に動ける状態になってしまう。
【００１０】
コアが存在しない空間があると，自由に動ける状態になった線材がこの空間に落ち込む可能性が大きく，伝動ベルトが被駆動プーリから駆動プーリへ移る際に再び大きな引張負荷が掛かった時に，線材がコアの空間に完全に落ち込み，形状が崩れた部分への応力集中により早期にベルトが破壊するという問題がある。
【発明の開示】
【００１１】
この発明は，１本のストランドを順次巻き付ける工程や，撚り合わせたスチールコードを解撚しそれを再び撚り合わせる工程では避けられない上記従来技術の問題点，すなわちリング形成途中の形状不安定性を解決することを目的とする。
【００１２】
この発明はまた，撚り線リングの製造において端末接続を実施することによりリングの巻き緩みの発生を防止することを目的とする。
【００１３】
さらにこの発明は，撚り線リングの製造において端末接続部位に応力集中が起きないようにすることを目的とする。
【００１４】
さらにこの発明は，撚り線リングを構成するストランド，またはストランドを構成するフィラメントのフレッティング摩耗を抑制することを目的とする。
【００１５】
この発明による撚り線リングの製造方法は，まず最終的に製造される撚り線リングの周長Ｌの約２倍の長さをもち，心線の周りに複数本のストランドが撚り合わされた原ワイヤロープを用意する。
【００１６】
次に，該原ワイヤロープの中央から両端方向に該周長の半分Ｌ／２の長さの位置においてそれぞれ，心線を切断して突き合わせ端面を形成するとともに半数本のストランドを切断しかつ残りの非切断ストランド部分を解撚する。
【００１７】
該原ワイヤロープをリング状に曲げて，少なくとも心線の両端に形成された突き合わせ端面を互いに突き合わせ，この状態において原ワイヤロープの一端側の該非切断ストランド部分を，原ワイヤロープの他端側の対応する位置にある切断ストランドの一部を解撚しながら該解撚したストランドに代えて撚り込んで入れ替え，入れ替えられたストランド部分については，入れ替えられた長さに相当する分，切除する。原ワイヤロープの一端側の非切断ストランド部分が複数ある場合には，それらの長さを異ならせて上記の入れ替えを繰返す。さらに原ワイヤロープの他端側の非切断ストランドについても上記と同じ操作を繰返す。
【００１８】
ワイヤロープとはコード，スチールコード，その他の金属製の撚り線を意味する。撚り線リングの周長Ｌとはその中心に沿う長さである。上記ストランドは最外層のストランドである。周長Ｌの約２倍の長さとは２倍に近く，２倍以下の長さ，たとえば 1.5〜２倍，1.6〜２倍または1.7〜２倍程度である。これは接続箇所を分散させるためのものであり，全周にわたって接続箇所が分散するようにすればよい（特にストランドが３本以上ある場合）。心線は１本でなく，複数本でもよい。
【００１９】
好ましくは，上記ストランド部分の入れ替えは，原ワイヤロープの撚りピッチの２ピッチ分以上の長さにわたって行う。
【００２０】
この発明による撚り線リングの製造方法によると，リング本体となる部分のワイヤロープを解撚することがないので（製造工程中において，一時に解撚するのは入れ替えられる１本のストランドのみ），工程途中でも常に安定したリングの形状を保つことができ，端末接続加工時の巻き付けテンションを適正に負荷することができる。端末接続部位をリング周上に分散させることにより，製造された撚り線リングにおいて特定部位への応力集中を防止することができる。端末接続加工は常に適正なテンション下で実施することが可能で，最終端末の処理時にも接続部位をリング本体から浮かすような工程を経ることがないため，最終加工後に巻き緩みを発生させることがない。
【００２１】
好ましい実施態様では，撚り込むストランド部分の端部と入れ替えられるストランド部分の端部とを重複させて残し，かつ重複させて残した端部の位置において重複する長さ分の心線（複数本あるときには，たとえば１本の心線）を切除し，重複して残した端部を交叉させて心線を切断して形成した空間内に入れ込む。心線そのものは複数箇所で切断されるが，心線の位置において空隙が生じることがなく，撚り線リングの形状が崩れることがない。
【００２２】
この発明は，上記の製造方法により製造された撚り線リングも提供している。
【００２３】
この発明による撚り線リングを上記とは別の観点から規定すると，心線とその周りに撚り合わされた複数本のストランドとからなり，環状に形成されたものであり，心線は両端を有し，それらが突き合わされており，各ストランドもそれぞれ両端を有し，心線の突き合わされた箇所を中心としてその両側にある半数ずつのストランドの端部がそれぞれ他方側に延び，かつ他方側の対応するストランド端部と入れ替えて撚り込まれており，この入れ替えて撚り込まれているストランド部分の長さが該中心の両側のそれぞれにおいてストランドごとに異なっているものである。
【００２４】
このようにして，接続箇所がリングの全体に分散された撚り線リングが実現する。
【００２５】
一実施態様では，上記心線および上記ストランドのそれぞれは，フィラメント（好ましくはスチールフィラメント）を複数本撚り合わせて形成された第１ストランドを，さらに複数本（好ましくは７本）撚り合わせて形成された第２ストランドである。第１ストランドは，好ましくは，樹脂被覆したスチールフィラメントを複数本撚り合わせて形成するか，またはスチールフィラメントを複数本撚り合わせた後に樹脂被覆して形成する。これにより，フィラメント同士または第１ストランド同士が直接接触して生じる相互摩擦によるフレッティング摩耗を抑制し，伝動ベルト等として使用した際の早期破壊を防止することができる。
【図面の簡単な説明】
【００２６】
【図１】完成した撚り線リングを示す斜視図である。
【図２】(A) は原ワイヤロープを太い線で示し，(B) は原ワイヤロープの側面図であり，(C) は(B) におけるII−II線に沿う原ワイヤロープの断面図である。
【図３】(A) は原ワイヤロープの両端部において一部のストランドを切断し，他のストランドを残した様子を示す線図，(B) はその側面図，(C) は(B) におけるｃ−ｃ線にそう拡大断面図，(D) は(B) におけるｄ−ｄ線に沿う拡大断面図である。
【図４】(A) は原ワイヤロープをリング状に曲げた状態の線図，(B) はその一部の側面図である。
【図５】各ストランドの端末の位置を示すもので，(A) は原ワイヤロープを直線状にした状態で示し，(B) は原ワイヤロープでリングを形成した状態で示す。
【図６】試験機の構成を示す。
【実施例】
【００２７】
図１は最終的に製造された撚り線リングを示している。最終的に製造された撚り線リング10の周長（中心を通る長さ）をＬとする。このような撚り線リング10は次のようにして製造（作製）される。
【００２８】
図２に示すように，約２Ｌの長さの原ワイヤロープ10Ａを用意する。図２において，(A) は原ワイヤロープ10Ａを一本の太い線で示したもの，(B) は原ワイヤロープ10Ａの側面図（一部を破線で示している），(C) は(B) の側面図におけるII−II線に沿う拡大断面図である。
【００２９】
この原ワイヤロープ10Ａは心線（ストランド）１の周りに６本のストランド２，３，４，５，６，７を撚り合わせたものである。心線１および各ストランド２〜７（心線１および各ストランド２〜７を第２ストランドという）のそれぞれは，スチールフィラメントを複数本撚り合わせたストランド（第１ストランドという）を７本撚り合わせて形成される。すなわち，原ワイヤロープ10Ａは７×７×Ｎの構造のものである。ここで，好ましくは第１ストランドは，樹脂被覆したスチールフィラメントを複数本撚り合わせて形成するか，またはスチールフィラメントを複数本撚り合わせた後に樹脂被覆して形成する。これにより，フィラメント同士または第１ストランド同士が直接接触して生じる相互摩擦によるフレッティング摩耗を抑制し，伝動ベルト等として使用した際の早期破壊を防止することができる。樹脂としては，ゴム，ポリプロピレン系樹脂，ポリエステル系樹脂，ポリエチレンテレフタレート系樹脂，フッ素系樹脂，シリコン系樹脂等を用いることができる。図２(B) ，(C) ，図３(B) ，(C) ，(D) および図４(B) においては最も太いストランド（第２ストランド）のみ図示し，細かい第１ストランドやフィラメントは図示を省略している。
【００３０】
原ワイヤロープ10Ａの約２Ｌという長さは２Ｌ以下で２Ｌに近い長さであることが好ましい。すなわち，後述するストランドの入れ替えが充分な長さにわたって可能でかつ両端からの入れ替えが相互に重ならない長さである。
【００３１】
図２に示すように，原ワイヤロープ10Ａの長さ方向の中心点（中央）をＣＰとする。中心ＣＰから両方向にＬ／２の長さをとる。両端部に約Ｌ／２（Ｌ／２よりも短い）の長さの原ワイヤロープ部分が残る。
【００３２】
次に，図３に示すように，原ワイヤロープ10Ａの心線１を，その中心ＣＰから両端方向にＬ／２の長さの位置においてそれぞれ切断し，突き合わせ端面を形成する。また，原ワイヤロープ10Ａの中心ＣＰから両端方向にＬ／２の長さの位置において，ストランドを左，右それぞれ３本ずつ切断する。図３において，切断されたストランドの端部は原ワイヤロープ10Ａの左側においてストランド端部13，15，17であり，右側においてはストランド端部22，24，26である。切断されずに残った端部をもつストランドの端部は左側においてはストランド端部12，14，16であり，右側においてはストランド端部23，25，27である。これらの残ったストランド端部をそれぞれ異なる長さに切断する。たとえば，ストランド端部12，25はそのままとし，ストランド端部14，23をストランド端部12，25の２／３の長さとし，ストランド端部16，27をストランド端部12，25の１／３の長さとする。残ったストランド端部の異なる長さへの調整は後で行ってもよい。
【００３３】
後述するように，原ワイヤロープ10Ａをリング状に曲げて心線１の両端面を突き合わせたときに，左側の切断された端面をもつストランド端部13，15，17と右側の残ったストランド端部23，25，27が対応する位置にあり（後述するようにこれらのストランド端部が入れ替えられる），右側の切断された端面をもつストランド端部22，24，26と左側の残ったストランド端部12，14，16とが対応する位置にある（後述するように，これらのストランド端部が入れ替えられる）ように，上記において切断するストランド，残すストランドを選択するものとする。
【００３４】
原ワイヤロープ10Ａは心線１とその周りに撚り合わされたストランド２〜７とから構成されるが，これらのストランド２〜７の端部がストランド端部12〜17，22〜27のどれに当るかは分らないし問題にしない。
【００３５】
なお，図３(C) は図３(B) のｃ−ｃ線に沿う断面図であり，図３(D) は図３(B) のｄ−ｄ線に沿う断面図である。これらのｃ−ｃ線とｄ−ｄ線は矢印の方向（断面をみる方向）が異なっている点に注意すべきである。
【００３６】
この後，図４(A) に示すように，原ワイヤロープ10Ａの中央の長さＬの部分をリング状に曲げる。図４(B) は図４(A) における原ワイヤロープ10Ａの端部を拡大して示している。
【００３７】
さらに，原ワイヤロープ10Ａをリング状に曲げて，少なくとも心線１の切断により形成された突き合わせ端面を互いに突き合わせる。
【００３８】
図５(A) ，(B) も参照して，たとえば原ワイヤロープ10Ａの左端側の切断されずに残ったストランド端部12を，これに対応する原ワイヤロープ10Ａの右端側のストランド端部22を解撚しながら，この解撚したストランド端部22に代えてストランド端部12を入れ替えて撚り込んでいく。そして，入れ替えられたストランド端部22については，ストランド端部12と入れ替えられた長さに相当する長さ分，切除する。このとき好ましくは次のように端末処理を行う。すなわち，撚り込むストランド端部12と入れ替えられるストランド端部22とを重複させて残し，かつ重複させて残した端部の位置において重複する長さ分の心線１を切除し，重複して残した端部12，22を交叉させて，心線１を切断して形成した空間内に入れ込む。ストランド端部22をストランド端部12によって入れ替える部分の長さは，ストランドの撚りピッチの２〜３倍程度（２〜３ピッチ）が好ましい。
【００３９】
次に原ワイヤロープ10Ａの左端側の残ったストランド端部14（その長さはストランド端部12の２／３程度）についても右端側のストランド端部24と同じように入れ替えを行う。左端側の最後のストランド16（その長さはストランド端部12の１／３程度）についても右端側のストランド端部26と入れ替えを行う。
【００４０】
さらに，右端側のストランド端部23，25，27についても同じように左端側の対応するストランド端部13，15，17を解撚しながら撚り込んでいって入れ替えを行う。
【００４１】
これらのストランド端部の端末部分は，その重複する長さに相当する長さ分，心線１を切除して形成した空間内に収める。心線１は多数箇所にわたって切除されるが，製造された撚り線リングの心の部分の空間は心線１の部分またはストランドの端末部分で埋められていることになり，内部に空隙が残ることがない。
【００４２】
図５(A) ，(B) には，入れ替えのために撚り込む各ストランド12，14，16，23，25，27の端末が位置する箇所がそれぞれ12ｅ，14e，16ｅ，23ｅ，25ｅ，27ｅで示されている。
【００４３】
以上のようにして，図１に示す撚り線リング10が完成する。
【００４４】
表１は実施例を示すものである。実施例１〜12（NO.１〜８，NO.13〜16）はいずれも上述した方法（接続位置６箇所分散配置）により環状に形成したものである。「樹脂被覆」に関して，「ストランド」という表記のものは，スチールフィラメントを複数本撚り合わせて第１ストランドを形成した後にこの第１ストランドに樹脂被覆したもの，「フィラメント」という表記のものは樹脂被覆したスチールフィラメントを複数本撚り合わせて第１ストランドを形成したものである。用いた樹脂はポリエステル樹脂，被覆厚さはフィラメントについては30μｍ，ストランドについては50μｍである。比較例１〜３（ NO.９〜11）は特許文献１に開示の方法，比較例４（ NO.12）は特許文献２に開示の方法により形成したものである。なお，NO.１，２ではＮ＝３＋９＋15，NO.３，４ではＮ＝１＋６＋12， NO.５，６ではＮ＝３＋９であり，これらが被覆対象である第１ストランドに相当する。これらの第１ストランドを被覆するタイミングは，第１ストランド（３＋９＋15，１＋６＋12または３＋９）ができ上がる撚り線機の出口でとなる。これらの構造の第１ストランドでは，第１ストランド内におけるフレッティングよりも，第１ストランド間で発生するフレッティング磨耗の影響が大きいものと予想されるので，それを抑制するための樹脂被覆を評価した訳である。
【００４５】
これらの実施例および比較例で用いたワイヤロープは次のようにして製造したものである。
【００４６】
JIS G3502のSWRH72Aに相当する成分を含有する径 5.5mmの線材を，塩酸によりスケールを除去し，その後ボラックス皮膜処理を施して乾燥する。そして，乾式の連続伸線機による伸線加工を実施した後，1000℃の加熱炉でオーステナイト化し，次いで約 550℃の流動床炉でパテンティングを行う熱処理を実施する。その後スケール除去，伸線加工，熱処理を適切な回数繰り返し行って，所望の線径を得る。最後の熱処理の際，インラインでスケール除去を実施した後，銅と亜鉛を，銅比が約65wt％となるよう，この順番に電気めっきし，約 560℃の流動床炉で銅と亜鉛を相互拡散してブラスめっきワイヤとする。得られたブラスめっきワイヤを，湿式の連続伸線機で最終伸線加工して撚り線に使用する素線を得る。
【００４７】
上記のようにして得られた素線を複数本使用して，チューブラータイプまたはダブルツイスタータイプの撚線機で第１ストランドを撚り合わせる。その際，撚り合わせる前の素線，または撚り合わせた後の第１ストランドに樹脂被覆を施す。ついでチューブラータイプの撚線機で第２ストランドを撚り合わせる。最後にチューブラータイプの撚線機で７×７×Ｎのワイヤロープ（スチールコード）を撚り合わせる。
【００４８】
耐久試験方法は次の通りである。
【００４９】
撚り線リングは，たとえばインクジェットプリンターのタイミングベルトや，小型搬送装置のベルトコンベヤなどの伝動ベルト（その補強材）として用いられる。タイミングベルトないし駆動ベルトは駆動プーリと従動プーリとの間に所定のテンション（張力）を掛けてセットされる。ベルトが駆動すると，従動プーリから駆動プーリに向かって動くベルトにかかるテンションは増加し，逆に駆動プーリから従動プーリに向かって動くベルトにかかるテンションは減少する。
【００５０】
上記のようなベルト駆動の負荷モードを再現する耐久試験を実施するため，耐久試験では，図６に示すように，間隔を離して対向するように設けられた直径40mmの２つの金属製プーリを有する試験機を用いる。一方がモータによる駆動側，他方が従動側で，これらの２つのプーリの間に作製した撚り線リング（評価サンプル）を掛ける。従動プーリに引張負荷を掛けながら，駆動プーリを回転させ，評価サンプルが破壊するまで試験を実施する。２つのプーリ間における評価サンプルの振動を抑制するために，適当な間隔で複数のガイドプーリが設けられる。
【００５１】
本評価では，引張負荷はコード切断荷重の10％とし，駆動プーリは最大回転数を 3000rpmとして，10分間隔で正転と逆転を交互に繰り返すよう駆動させた。耐久試験は試験機の回転回数（正逆を問わない）を記録し，比較例１の結果を100とした指数で表示した。
【００５２】
表１の耐久試験結果（指数）から分るように，実施例１〜12のいずれにおいても従来例よりも高い耐久性が得られることが分る。また，実施例１〜12のものにおいては接続部が６箇所に分散しているから（図５(A)，(B)に示す６箇所の最終端末固定点）比較例１〜３のように接続部で破断することはない。また，ストランドまたはフィラメントに樹脂被覆を施したもの（実施例２，４，６，８，10，12）においては耐久性が飛躍的に高められているのが分る。
【００５３】
この実施例によると，次のような効果を奏する。
【００５４】
リング本体となる部分のワイヤロープ（スチールコード）を解撚せずに形成することで，工程途中でも常に安定した形状を保つことができ，端末接続加工時の巻き付けテンションを適正に負荷することができる。
【００５５】
端末接続部位をリング周上に分散させることにより，特定部位への応力集中を防止することができる。
【００５６】
端末接続加工は常に適正なテンション下で実施され，最終端末の処理時にも接続部位をリング本体から浮かすような工程を経ることがないため，最終加工後に巻き緩みを発生させることがない。
【００５７】
７×７×Ｎの２重の複撚り構造を適用することにより，伝動ベルトとして使用した際の複雑な応力変化に追従できる十分な柔軟性を付与することができる。
【００５８】
樹脂被覆フィラメントまたは樹脂被覆第１ストランドを使用することにより，フィラメント同士，第１ストランド同士のフレッティング摩耗を抑制し，伝動ベルト等として使用した際の早期破壊を防止することができる。
【００５９】
【表１】
0005759846.tif 000002
【符号の説明】
【００６０】
１  心線（ストランド）
２，３，４，５，６，７  ストランド
10  撚り線リング
10Ａ  原ワイヤロープ（スチールコード）
13，15，17，22，24，26  切断されたストランド端部
12，14，16，23，25，27  切断されずに残ったストランド端部
12ｅ，14ｅ，16ｅ，23ｅ，25ｅ，27ｅ  最終端末固定点
【図１】
0005759846.tif 000003
【図２】
0005759846.tif 000004
【図３】
0005759846.tif 000005
【図４】
0005759846.tif 000006
【図５】
0005759846.tif 000007
【図６】
0005759846.tif 000008